(57)【特許請求の範囲】
【請求項１】
燃料を直接燃焼室内に噴射する燃料噴射弁を備え、
前記燃料噴射弁は電磁コイルを有し、当該電磁コイルは前記噴射弁の開弁起動状態とその後の開弁保持状態とで電流の流れる状態が変化するように構成されており、
且つ、１回の燃料噴射タイミングの間に、開弁起動状態と開弁保持状態のサイクルが所定の噴射休止間隔を挟んで、少なくとも２回繰り返される筒内噴射型内燃機関の燃料噴射装置において、
エンジンの回転数，吸入空気量が大きくなるにつれて、あるいは噴射時期が遅くなるにつれて前記噴射休止間隔を短縮することを特徴とする
筒内噴射型内燃機関の燃料噴射装置。
【請求項２】
請求項１に記載の筒内噴射型内燃機関の燃料噴射装置において、
前記燃料噴射弁は２つの電磁コイルを有し、当該２つの電磁コイルは前記噴射弁の開弁起動状態とその後の開弁保持状態とで電流の流れる状態が切り替わるように構成されており、且つ、１回の燃料噴射タイミングの間に、開弁起動状態と開弁保持状態のサイクルが所定の通電遮断期間を挟んで、少なくとも２回繰り返されるように電流の流れる状態が切り替わる筒内噴射型内燃機関の燃料噴射装置。
【請求項３】
請求項１，２のいずれかに記載した筒内噴射型内燃機関の燃料噴射装置において、前記噴射休止間隔の前後における前記燃料噴射弁の噴射期間をＴ２およびＴ３とするとき、エンジンの回転数，吸入空気量が大きくなるにつれて、あるいは噴射時期が遅くなるにつれてＴ２／Ｔ３を小さくする筒内噴射型内燃機関の燃料噴射装置。
【請求項４】
請求項１に記載した筒内噴射型内燃機関の燃料噴射装置において、
前記燃料噴射弁は燃料通路を開閉する弁体と弁座を有し、且つこの弁座の上流に燃料に旋回力を付与する半径方向外側から内側に向かう放射状の燃料通路を有し、当該燃料通路には１回の燃料噴射タイミングの間に少なくとも２回の半径方向外側から内側に向かう燃料の流れが形成される筒内噴射型内燃機関の燃料噴射装置。
【請求項５】
請求項３に記載した筒内噴射型内燃機関の燃料噴射装置において、
前記所定の噴射休止間隔が前記電磁コイルに電力を供給する昇圧回路を構成するコンデンサの充電時間より長く設定されている筒内噴射型内燃機関の燃料噴射装置。
【請求項６】
請求項１に記載した筒内噴射型内燃機関の燃料噴射装置において、
前記燃料噴射弁は、当該燃料噴射弁の燃料噴射孔部に燃料噴霧をリンダヘッドの中央近傍に設けられた点火プラグの方向に変更する変更要素を含んでおり、且つ当該変更要素から、１回の噴射タイミングの間に少なくとも２回前記点火プラグに向けて燃料を噴射する筒内噴射型内燃機関の燃料噴射装置。
【請求項７】
請求項１，２もしくは４のいずれかに記載した筒内噴射型内燃機関の燃料噴射装置において、
前記燃料噴射弁は燃焼室中央に設けられ、燃焼室上部から燃焼室内へ向けて燃料を噴射するものである筒内噴射型内燃機関の燃料噴射装置。
【請求項８】
請求項１，２，４もしくは６のいずれかに記載した筒内噴射型内燃機関の燃料噴射装置において、
前記燃料噴射弁は内燃機関に搭載されたバッテリーの発生電圧以下の電圧で駆動する燃料噴射弁を用いた筒内噴射型内燃機関の燃料噴射装置。
【発明の詳細な説明】
【０００１】
【発明の属する技術分野】
本発明は燃焼室に燃料噴射弁（以下インジェクタと称す）によって直接燃料を供給する筒内噴射型内燃機関（以下エンジンと称す）に関するものである。
【０００２】
【従来の技術】
特開平11−159382号公報には、燃料を直接燃焼室内に噴射する燃料噴射弁（以下インジェクタと称す）を備え、内燃機関（以下エンジンと称す）が低負荷低回転の運転領域にある時に圧縮行程で燃料を噴射することにより混合気を成層化させて燃焼させる筒内噴射エンジンにおいて、成層燃焼を実行する領域内でエンジンの負荷および回転数の少なくとも一方が比較的高い運転領域にあるときに、圧縮行程で燃料を複数回に分割して噴射することにより、成層運転領域を拡大し、燃費を向上させる技術が記載されている。
【０００３】
また特開平7−119507 号には、高負荷低回転時の均一燃焼（均質燃焼と同意）領域で燃料を分割噴射して１回当たりの燃料の噴射量を少なくして燃料を効果的に霧化拡散させ、
良好な均一燃焼を得る技術が記載されている。
【０００４】
【発明が解決しようとする課題】
従来の技術では、成層燃焼領域を十分に広げることができず、燃費の向上，エミッションの改善が十分図ることができなかった。
【０００５】
本発明の目的は、１回の噴射タイミングの間に複数回噴射させる運転領域を拡大して成層燃焼領域を十分に広げ、燃費の向上，エミッションの改善を図ることにある。
【０００６】
【課題を解決するための手段】
本発明は上記目的を達成するために、
燃料噴射弁は開弁起動状態とその後の開弁保持状態とで電磁コイルに流れる電流の状態が変化するように構成し、且つ１回の燃料噴射タイミングの間に、開弁起動状態と開弁保持状態のサイクルが、少なくとも２回繰り返されるように構成し、且つエンジンの回転数，吸入空気量が大きくなるにつれ、あるいは噴射時期が遅くなるにつれて前記噴射休止間隔を短縮するものである。
【０００７】
好適には、燃料噴射弁は燃料通路を開閉する弁体と弁座を有し、且つこの弁座の上流に燃料に旋回力を付与する半径方向外側から内側に向かう放射状の燃料通路を有し、
当該燃料通路には１回の燃料噴射タイミングの間に少なくとも２回の半径方向外側から内側に向かう燃料の流れが形成されるように構成した。
【０００８】
燃料噴射弁は燃料噴射孔部に燃料噴霧をプラグの方向に変更する変更要素を含んでおり、且つ当該変更要素から、１回の噴射タイミングの間に少なくとも２回点火プラグに向けて燃料を噴射するよう構成した。
【０００９】
【発明の実施の形態】
本発明が適用される筒内噴射エンジンの一つのシステム例を図１および図２に示す。
【００１０】
エンジン３０には、２本の吸気管Ａ，Ｂと、それらをそれぞれ上下に仕切る板２０と、
この板２０の開始点に空気流動制御弁２１を設けた。
【００１１】
これらにより、燃焼室内に吸気弁１０側から排気弁１１側、ピストン３１へと向かう順タンブル空気流動５０を形成するように構成した。
【００１２】
空気流動５０の強度は電子制御されるアクチュエータ２１Ａでリンク２１Ｂを介して空気流動制御弁２１の開度を制御することにより変化させることができるよう構成した。
【００１３】
タンブル空気流動５０を保持しやすいようにピストン３１の頂面にはタンブル空気流動をガイドするタンブル保存溝５０Ａを設けた。
【００１４】
点火プラグ３２は燃焼室中央部に配置し、燃焼室内に直接燃料を噴射供給するインジェクタ１は燃焼室に設けられた２つの吸気弁１０の間に燃料噴射孔をシリンダ側にして水平から約３０度上方に傾けて配置した。
【００１５】
インジェクタ１は電磁コイルを備えた電磁弁で構成し、エンジンコントロールユニット（以下ＥＣＵと称す）４１からの制御信号により開閉制御するよう構成した。
【００１６】
ＥＣＵ４１からの燃料噴射制御信号がインジェクタ駆動回路４０に入力されると、後で詳述するインジェクタ１の電磁コイル２がバッテリＶＢにより付勢され、プランジャ３が引き上げられ、プランジャ３の先端に取付けられている弁体３ａが弁座（図示せず）から離れ、図示しない高圧ポンプで加圧された高圧燃料が燃焼室内に噴射される。
【００１７】
燃料はインジェクタ１の弁３ａの上流に設けたスワラ４により旋回力が与えられて噴射されるため、燃焼室内圧力が低い吸気行程噴射では中空の円錐噴霧となる。
【００１８】
一方、燃焼室内圧力が高い圧縮行程噴射では噴霧がつぶれて中実噴霧となる。
【００１９】
本実施例では、成層燃焼領域においては図に示すように先行して噴射された噴霧６０ａがプラグ３２方向に拡散してプラグ３２付近で留まり、次に噴射された噴霧６０ｂを火種として燃焼するよう構成した。
【００２０】
図中３２ａは点火コイルで、ＥＣＵ４１からの点火信号を受けて点火プラグ３２に点火用スパークを発生させる。
【００２１】
図３（ａ），（ｂ）に基づき本発明の概要を説明する。
【００２２】
本発明では、圧縮行程の非常に近接した時間に燃料を複数回に分割して噴射する。
【００２３】
スワラ付きインジェクタで一括噴射（１回の燃料噴射タイミングの間に１回の開弁で燃焼に必要な燃料を一括噴射すること）した場合の噴霧は図３（ａ）のようにＬ１のペネトレーションを有する。
【００２４】
同じ噴射量を２回に分割して噴射した場合は図３（ｂ）に示すように、一回当たりの噴射量が少なくなるため噴霧の貫通力が小さくなる。
【００２５】
第１噴射のペネトレーションＬ２と第２噴射のペネトレーションＬ３の長い方を、一括噴射のペネトレーションＬ１と比較すると前者のペネトレーションＬ２（Ｌ３）の方が短い。
【００２６】
そして、弁の上流にスワラを備えていないインジェクタと同様の比較すると、同じ燃料供給量、同じ燃料圧力の場合、弁の上流にスワラを備えた本発明の方が同じ噴射量を２回に分割して噴射した場合のペネトレーションの短くなる度合いが大きかった。
【００２７】
また、同一圧力雰囲気中で連続２回噴射を実施すると、第１噴射の噴霧６０ａが直進力を失って滞留しているところへ第２噴射６０ｂが重なるようにして到達し、全体として狭い領域に高濃度で噴霧が滞留するのが確認できた。
【００２８】
しかし、実際の燃焼室では第１噴射６０ａと第２噴射６０ｂが噴射されるタイミングにおける燃焼室内圧力は異なる（第１噴射６０ａの時点の方が第２噴射６０ｂの時点より低い）。
【００２９】
ところで、スワラを備えたインジェクタでは、雰囲気圧力が低いと中空円錐噴霧となり、雰囲気圧力が高いと中実のコンパクトな噴霧となる。
【００３０】
このため実機では、図３（ｃ）のように低圧状態の燃焼室に噴射された中空円錐噴霧の第１噴射の噴霧６０ａは軽いので空気流動に乗って広く分布し、比較的高圧状態の燃焼室に噴射された中実の第２噴射の噴霧６０ｂは比較的燃料粒が重いことと空気流動が弱まっていることで先行した第１噴射６０ａ程は拡散せず、プラグの周りに集まる。
【００３１】
この雰囲気圧力差によりプラグ周りに濃い混合気層、その周囲に薄い混合気層、という理想的な混合気が形成できた。
【００３２】
また、噴射期間Ｔ１が２ｍ秒を超えるような長い場合には、スワラ付きインジェクタから噴射された中空円錐噴霧は、噴霧内外の圧力差により噴霧が釣り鐘型となり、燃料噴霧の広がり角度（θ１，θ２）が狭角化され噴霧の分散が抑えられる。
【００３３】
これに対し、複数回に分割して噴射すると１回当たりの噴射期間が短縮され、噴霧の広がり角度の狭角化を防止でき、燃料を広く分散させることができる（θ１＜θ２）。
【００３４】
スワラ付きインジェクタでは一括噴射にするか、２回に分割して噴射するかによって燃料の広がり角度を制御できる。
【００３５】
図４に本発明による噴射方法のパターン、図５に本発明を実施した筒内噴射エンジンの運転領域を示す。
【００３６】
図５は横軸が回転数、縦軸が負荷であり、（１）（２）の領域は均質運転、（３）は弱成層運転、（４）（５）は成層運転を行う領域である。
【００３７】
（１）の高負荷高回転の均質運転領域では、短時間に多量の燃料を噴射する必要があることから、図４（１）のように吸気行程で一括噴射、もしくは排気行程から吸気行程にかけて一括で噴射する。高回転高負荷では燃焼室内の空気流動が強く、噴霧が吸気弁側に集中して空気利用率が悪いが、排気弁側まで到達して混合を促進できるように貫通力が強い一括噴射を行うことで、出力の向上，燃費の改善を図る。
【００３８】
（２）の高負荷低回転の領域では、図４（２）に示すように、吸気行程に複数回に分割して燃料を噴射することで、噴霧の貫通力（ペネトレーション）を低減し、排気側シリンダ壁面やピストン冠面への燃料付着を低減する。
【００３９】
また、１回当たりの噴射期間を短縮することで、第１噴射６０ａの噴霧角を拡大して混合を促進できる。
【００４０】
（３）は弱成層運転領域で、図４（３）に示すように吸気行程と圧縮行程に分割して噴射する。
【００４１】
吸気行程噴射で周囲に希薄混合気を形成し、圧縮行程噴射の噴霧を点火火種として弱成層燃焼を達成する。
【００４２】
（４）は成層運転領域であるが、そのなかでも比較的高回転領域であり、図４（４）に示すように圧縮行程で一括噴射して成層燃焼する。
【００４３】
（５）の低負荷低回転の成層運転領域では、図４（５）に示す圧縮行程複数回噴射の燃料噴霧を空気流動でガイドすることにより従来のいかなるエンジンでも成層燃焼による安定燃焼が困難とされる領域において、成層燃焼による安定燃焼を実現できた。
【００４４】
この結果、従来より成層燃焼領域が拡大し、燃費低減と、エミッションの改善が図れた。
【００４５】
図４（５）に示す圧縮行程複数回（２回）噴射では図８に示すように、第１噴射は圧縮行程前乃至中期に行い、プラグ近傍に希薄混合気層６０ａを形成し、第２噴射を圧縮行程中乃至後期に行い、噴霧６０ｂが点火プラグへ到達したときに点火して燃焼させる。
【００４６】
点火プラグに可燃混合気層、その周囲に希薄な混合気層さらに外側に空気層があることで、混合気が効率よく燃焼し、また壁面に混合気が存在しないため、火炎伝播できないクエンチ層からのＨＣの生成が減少し、ＨＣの排出量が低減できる。
【００４７】
この場合、第２噴射が圧縮行程の後期の空気流動が非常に弱い状況において行われるので従来のシステムであれば噴霧がプラグまで到達する貫通力を持たない。
【００４８】
しかし、本発明では先に説明した理由と、図９に示すように、第１噴射がプラグ方向への流動を生成するため、第２噴射はこの流動に引っ張られる作用の両方で点火プラグまで到達することができる。これより、安定燃焼領域が広がり、燃費が更に向上する。
【００４９】
図４（５）に示す圧縮行程２回噴射で第１噴射と第２噴射のタイミングを非常に近接した時間(１.５ｍｓ程度）にすると、図１０のように混合気がプラグを通過する時間を延長することができる。
【００５０】
タンブル空気流動により燃料を点火プラグまで搬送するいわゆるタンブルガイドエンジンでは、混合気が点火プラグを通過する期間でのみ点火ができるため、第１噴射と第２噴射のタイミングを最適化すると噴霧が連続して２回通り過ぎ、その両方のタイミングで点火することが可能となり、燃焼安定領域が拡大する。
【００５１】
以上のように、圧縮行程複数回噴射では、第１噴射と第２噴射の間隔を制御することにより、混合気の弱成層化による燃費向上（図１１混合気曲線６０）と、混合気のプラグ通過時間延長による燃焼安定領域拡大（図１１混合気曲線６１）、という２つの効果が得られる。
【００５２】
更に、始動時に触媒が十分に暖機されていない状況では、図４（６）に示すように圧縮行程と膨張行程に燃料を噴射する。
【００５３】
圧縮行程で希薄燃焼させ、膨張行程に燃料を噴射し、第１燃焼での余剰空気と燃焼による熱で、２度目の噴霧を燃焼させ、排気温度を向上，触媒暖機時間を低減する。触媒早期活性化により、排気浄化が可能となるため、排気の低減効果がある。
【００５４】
このような領域では空気流そのものが少ないので空気流動による燃料ガイド効果が低いので燃料噴射期間を他の２回噴射領域の噴射期間より長くしてペネトレーションを長くし、プラグ周辺に届き易くする。
【００５５】
始動時の中でもスタータでエンジンを駆動しているような低回転領域では、ピストンが圧縮行程途中で停止している気筒に燃料を噴射して一発目を燃焼させるが、本発明の１噴射タイミング複数回噴射を用いれば、一発目の燃焼から成層燃焼で始動を行う事ができ、
ＨＣの発生が少なく、燃費の良い直接燃料噴射装置が得られる。
【００５６】
通常、始動時は燃料圧力が低く噴射率が低いため、噴射期間を通常運転時の数倍長くする必要がある。このため従来の直接燃料噴射装置においては、燃料噴霧のペネトレーションが長くなりすぎて対向壁面への燃料付着が生じたり、燃料が点火タイミング時に点火プラグ位置を通り過ぎたり、またこのような運転状態では燃料の圧力が低くて燃料の微粒化も不十分であるという問題もあって、成層燃焼が実現できず、均質燃焼で始動していた。
【００５７】
本実施例では一燃料噴射タイミングでインジェクタを２回駆動して、１回の噴射燃料を分割して噴射することにより、ペネトレーションを低減することができたので対向壁面への燃料付着を防止でき、また燃料量が少ない分、低い圧力でも燃料が十分霧化され、これにより、一発目の燃焼から成層燃焼で始動を行う事が可能となる。
【００５８】
図７に示すように、ＥＣＵ４１はエンジンに取り付けられた各種センサから、エンジン冷却水温度，エンジン潤滑油温度，エンジン回転数，負荷，スロットル弁開度，クランクシャフトの回転角度，Ａ／Ｆ（空燃比センサ出力あるいは酸素濃度検出器出力）などの信号を受けてエンジンの状態を判定し、さらに図６のフローチャートで噴射方法を選定し、
噴射時期，噴射期間，点火時期などをインジェクタ駆動回路４０や、点火回路３２ａへ出力する。（図２の３２ｂは点火コイルを示す。）
【００５９】
均質運転時には２回の噴射時期で燃焼室圧力はほとんど変化しないが、成層運転時には図１２に示すように燃焼室圧力が変化する。また、その変化割合は噴射時期や、回転数，
吸入空気量の関数となるため、条件にあわせた噴射間隔が要求される。
【００６０】
噴射間隔（時間）が同じ場合、（ｂ）を基準条件とすると、吸入空気が多い（ａ）のような条件では２回目の噴射時の燃焼室圧力が高く、コンパクトな噴霧となるため、１回目の噴霧と２回目の噴霧の間が開いて、分離する可能性がある。
【００６１】
低回転の（ｃ）のような場合は、圧力変化が少ないため、噴霧の定常試験に近い結果が得られると考えられる。
【００６２】
燃焼に最適な混合気を得るために、図１３に示すように回転数，吸入空気量が大きくなり、あるいは噴射時期が遅くなるにつれて第１，２噴射の間の噴射休止間隔Ｄ１を短縮する。
【００６３】
ただし、Ｄ１はインジェクタへ電力を供給する昇圧回路のコンデンサのチャージに必要な時間(約１.５ｍｓ)以下となってはならない。
【００６４】
図１４に示すように、回転数，吸入空気量が大きくなり、あるいは噴射時期が遅くなるにつれてＴ２／Ｔ３を小さくする。
【００６５】
つまり、Ｔ３を延長する。ただし、Ｔ２は図１５に示す無効噴射パルス幅以下になってはならない。
【００６６】
図１５は、噴射期間と燃料流量の関係を示しており、ほぼ比例関係にあることがわかる。だが、噴射期間を短縮するとインジェクタのプランジャの開弁までの遅れや、プランジャの動作が不安定になることなどが原因で、流量に直線性が得られない領域が出現する。
【００６７】
直線性が得られない領域の噴射期間を無効噴射パルス幅と呼び、この領域は使用しない。
【００６８】
この領域に噴射パルス幅（噴射期間）が入る場合は、燃料圧力を低く設定して流量を低減し、その分噴射パルス幅を長くして対応する。
【００６９】
第１の実施例のエンジンにおいては、プラグに到達できる噴霧角得るために広角噴霧型のインジェクタであるスワラ付きインジェクタを用いた。そして比較的長いペネトレーションが要求される低回転低負荷の領域では、圧縮行程複数回噴射を適用した。
【００７０】
第２の実施例を図１６に示す。
【００７１】
この実施例では比較的長いペネトレーションを確保できる狭角噴霧あるいは中実噴霧型のインジェクタを使用し、低回転低負荷の噴射期間の短い条件では１噴射タイミング１回噴射とし、中回転でペネトレーションが長くなり過ぎて壁面への付着が問題となる領域で１噴射タイミング２回噴射とした。
【００７２】
狭角噴霧型インジェクタを用いることで、均質高負荷条件でも吸気弁からの強い下降流に負けずに分散しやすい燃料噴霧状態を形成する事ができた。
【００７３】
低負荷条件では噴射パルスが短いため、噴射を２回に分割すると、１回の噴射パルス幅が、無効噴射パルス幅以下になる可能性があるが、このような領域では燃料圧力を低くして噴射パルス幅を長くすることが有効である。
【００７４】
第３の実施例を図１７に示す。これは、インジェクタをエンジンヘッドの側面ではなく、燃焼室中心部の点火プラグ横に配置した構造である。成層運転では圧縮行程２回噴射により、ペネトレーションが抑制できるためピストン冠面への付着が低減でき、混合気を２層化でき、理想的な混合状態を得られる。また、燃焼室中心から噴射しているため、噴霧が通過することがなく混合気が中心部に留まるため、広い噴射、点火時期で安定燃焼できる。均質運転では、燃焼室の形状に合った噴霧形状となるため、空気を有効に利用できる。均質運転でも圧縮行程２回噴射によりペネトレーション抑制による壁面付着低減，噴霧拡大による混合の促進が可能である。
【００７５】
昇圧器によってバッテリ電圧を昇圧して高電圧をコイルに印加することで、開弁するインジェクタでは、近接した短時間に複数回インジェクタを開弁するためには、噴射間隔を広く取る必要がある。それはバッテリー電圧から電圧をチャージするための時間が必要であり、十分に電圧がチャージされない場合、２回目の開弁が遅れ、必要噴射量が得られない可能性があるからである。よって約１.５ｍｓ以上の間隔が必要である。
【００７６】
バッテリー電圧で駆動可能なインジェクタを用いた場合、電圧チャージが必要ないため、非常に近接した時間で複数回噴射を行うことが可能である。この場合、成層運転の高回転領域でも圧縮行程で近接に２回噴射して、安定領域の拡大を測ることが可能である。
【００７７】
また、上記方法は４２Ｖバッテリー搭載のエンジンにおいてはさらに小さなパルス幅でも燃料流量が不安定にならないので、低負荷領域でも燃料圧力を落とすことなく、複数回噴射することを可能にできる。
【００７８】
以上の実施形態は空気で混合気をガイドして成層化するエンジンに関して記載したが、
ピストンキャビティ１８０で混合気をガイドする図１８のような構成でも使える。
【００７９】
図１９の冠面がフラットなピストンを備えた筒内噴射エンジンでは、インジェクタ１から噴射した燃料を点火プラグ３２へ直撃させて混合気を形成する。
【００８０】
インジェクタ１は、筒内圧力の変化により噴霧形状が変わりにくい例えば中実噴霧型インジェクタを用いる。
【００８１】
特に、点火プラグ方向の噴霧角が変化しないことが重要であり、これにより、噴射時期，回転数の影響を受けることなく点火プラグへ燃料を到達させることができる。
【００８２】
また、ピストンはキャビティを持たないフラットな形状であるため、ピストン冠面の冷却損失，吸気損失を低減でき、燃費向上が図れる。
【００８３】
この構成のエンジンでは、噴霧が点火プラグを通過する時間が短いが、一噴射タイミングでの噴射を複数回に分割してその第１回目と２回目の間隔を適宜設定することで、点火プラグに混合気が存在する時間を延長し、燃焼安定領域を拡大できる。
【００８４】
また、一噴射タイミングでの噴射を複数回に分けることにより、ペネトレーションを短くできるため、排気バルブ側の壁面への燃料付着を低減でき、燃費，排気を改善できる。
【００８５】
実施例ではスワラ付きインジェクタ，中実噴霧型インジェクタに関して述べたが、ホールノズル型のインジェクタやプレートノズル型のインジェクタなども使用できる。
【００８６】
実施例では噴射を２回に分割した例を述べたが、それ以上の回数に分割してもよい。
【００８７】
次に、本発明に用いるスワラ付きインジェクタ及び、バッテリ電圧で駆動されるインジェクタの詳細構成を図２０（ａ），(ｂ)，図２１（ａ），(ｂ)，(ｃ)に沿って説明する。
【００８８】
図２１（ａ）は、インジェクタのノズル先端部分の拡大図であり、本発明にかかるスワラ１１７が示されている。スワラ１１７には、軸方向溝２１２と径方向溝２２１と、更に径方向溝２２１出口部分に環状の室２５１とが形成されている。
【００８９】
軸方向溝２１２はスワラ１１７の円筒の側面を、２つの平行な平面で切り取った平面と
ノズルの筒状内周面とで囲まれた断面半月上の通路で形成される。
【００９０】
これらの軸方向溝２１２，径方向溝２２１は上方より導入される燃料の通路であるが、
軸方向溝２１２を通過した燃料は径方向溝２２１によって弁軸心に対して偏心して弁座上流の旋回室２３１に導入される。これにより、燃料にいわゆる旋回力が付与される。ここで、ノズル２０８から噴射された燃料噴射の拡がり角、すなわち噴射角は、スワラ１１７に設ける径方向溝２２１のオフセットＬ（弁軸心と溝の中心間距離：図２０（ｂ）に示される）や溝の幅，深さを調整することで調整ができる。
【００９１】
径方向溝２２１のオフセットＬが小さい場合や、あるいは溝の幅や深さを大きくした場合には旋回流を生じ易くなるが、環状の室２５１はこの旋回燃料の変動分を緩和する効果がある。
【００９２】
環状室２５１は、その下流の燃料旋回室２３１に比べて直径が大きいので、径方向溝２２１を通過する燃料の流速を下げた場合でも該径方向溝２２１のオフセットＬを大きくすれば旋回力を増大させることができ、その結果、旋回室を有効に使うことができる。
【００９３】
これにより、未然に変動分を回避できると共に、燃料のミキシングを積極的に促進する
ことができる。
【００９４】
１回の噴射タイミングで弁１１６が弁座２１０から２回離れると燃料はその都度縦方向通路２１２，径方向溝２２１，環状室２５１，旋回室２３１，噴射口１９０と流れて燃焼室内に噴射される。
【００９５】
第１噴射と第２噴射との間の閉弁区間では燃料は専ら環状室２５１に滞留して第２噴射の初期から確実に噴射が生じるよう待機している。
【００９６】
この環状溝が無い場合は弁が短時間の間に開閉を繰り返した場合燃料の供給がそれに追いつかず燃料切れを生じることがある。
【００９７】
かくして、本発明に供する燃料噴射弁は１回の噴射タイミングの間に複数回、径方向通路２２１を通して径方向外側から内側に向かって燃料が供給されるが、高速の分割噴霧によってもまったく燃料の旋回作用に変化が無く、燃料噴口で安定した微粒化作用を奏し、
高圧の燃焼室内への安定した燃料噴射が可能となった。
【００９８】
スワラを持たないインジェクタでは実現できない分割噴射での燃料微粒化効果と、高速弁駆動に対する燃料供給応答性を得られた。
【００９９】
次に、図２１（ａ)，(ｂ)，(ｃ）を用いて本発明に供するインジェクタ及び燃料噴射装置の一実施例について説明する。
【０１００】
図２１（ａ）はインジェクタ１の全体構造を示す断面図（先端ノズル部の拡大図は、図２０（ａ）に示す）、図２１（ｂ）は燃料噴射装置(インジェクタ１とインジェクタ駆動回路４０)の配線構成を示す模式図である。
【０１０１】
まず、図２１（ａ）を用いてインジェクタ１の構造を説明する。
【０１０２】
インジェクタ１は、燃料ポンプから加圧された燃料が供給されており、弁体を成すボール弁１１６とヨークケーシング１１４側に形成されたシート面（弁座面）２１０との間で燃料通路の開閉を行い、燃料噴射孔１９０からの燃料の噴射量を制御している。
【０１０３】
ボール弁１１６はプランジャ１１５の先端に取り付けられており、シート面２１０の上流近傍には燃料微粒化のためのスワラ１１７が具備されている。
【０１０４】
ボール弁１１６の駆動力を発生する手段として、インジェクタ１にはコントロールコイル１１１とホールドコイル１１２が具備されており、これらのコイルが通電されると磁束が発生し、コア１１３，ヨーク１１４とプランジャ１１５を通る磁路が形成され、その結果、コア１１３とプランジャ１１５との対向する端面間に吸引力が発生する。
【０１０５】
これによりプランジャ１１５及びボール弁１１６がシート面２１０から離れる方向に（図では右側に）変位し、燃料が噴射される。
【０１０６】
また、コントロールコイル１１１とホールドコイル１１２による吸引力が無いとき（無通電状態）は、リターンスプリング１１８のばね力でプランジャ１１５を介してボール弁１１６がシート面２１０に押し付けられ、インジェクタ１は閉弁状態となる。
【０１０７】
コントロールコイル１１１とホールドコイル１１２の一端は、電気的に接続されＢ端子となっている。また、コントロールコイル１１１のもう一端はＣ端子となり、ホールドコイル１１２のもう一端は、Ｈ端子となっている。
【０１０８】
Ｂ端子にバッテリのプラス端子をつなぎ、Ｃ端子，Ｈ端子をバッテリのマイナス端子につなぐとコントロールコイル１１１とホールドコイル１１２に等しい向き（互いに強め合う向き）の磁束が発生するように、２つのコイルの巻き方、配線が決定されている。
【０１０９】
尚、図面では、配線の引き回しを模式的に記述している。
【０１１０】
次に、図２１（ｂ）を用いてインジェクタ駆動回路１００の配線構成を説明する。
【０１１１】
インジェクタ１についてはコア１１３とコントロールコイル１１１とホールドコイル１１２が記載されている。
【０１１２】
インジェクタ制御回路１００には、バッテリＶＢよりバッテリ電圧が供給されており、
エンジンコントローラ４１からの噴射信号に基づき、コントロールコイル１１１，ホールドコイル１１２への通電制御を行う。
【０１１３】
インジェクタ制御回路１００には、ホールドコイル１１２への通電制御を行うホールドコイルトランジスタＯＮ／ＯＦＦ回路１０４とコントロールコイル１１１への通電制御を行うコントロールコイルトランジスタＯＮ／ＯＦＦ回路１１４とがある。
【０１１４】
それぞれのトランジスタＯＮ／ＯＦＦ回路は、ホールドコイル電流検出抵抗１０３Ｒ，
コントロールコイル電流検出抵抗１１３Ｒで検出された、それぞれのコイルへの電流情報を共有し、これらの情報と、エンジンコントローラ１からの噴射信号を基準とした信号処理回路１２０の出力に応じてホールドコイル用パワートランジスタ１０２ｔ，コントロールコイル用パワートランジスタ１１２ｔに通電信号を送る。
【０１１５】
ホールドコイル用パワートランジスタ１０２ｔ，コントロールコイル用パワートランジスタ１１２ｔがオンになると、ホールドコイル１１２とコントロールコイル１１１にバッテリＶＢの電圧が印加されることになる。
【０１１６】
１０１Ｒ，１１１Ｒは、それぞれホールドコイル１１２とコントロールコイル１１１の内部抵抗及び駆動回路の等価抵抗である。
【０１１７】
コントロールコイル１１１とホールドコイル１１２は、それぞれ異なった電気特性となっている。これはコントロールコイル１１１とホールドコイル１１２が、それぞれ閉弁・開弁・開弁保持・閉弁の各段階においての役割が違うからである。
【０１１８】
コントロールコイル１１１は、この実施例においては、専ら開弁初期状態で使うコイルであり、ホールドコイル１１２は開弁保持状態で使うコイルである。
【０１１９】
以下、それぞれの違いを述べる。
【０１２０】
まず、開弁時にコイルに要求される特性を以下に示す。
【０１２１】
開弁時には、前述のリターンスプリング１１８によるセット荷重と、加圧された燃料による燃圧がボール弁に働くため、開弁動作に対して大きな阻止力が働く。
【０１２２】
電磁力が、これらの力に打ち勝つ大きさに到達した時点で、初めてプランジャ１１５が変位を始める。
【０１２３】
従って、力を発生するのに必要な時間は、開弁遅れに影響を及ぼすため、できるだけ短くする必要がある。
【０１２４】
起磁力は、コイルの巻数Ｎ（Ｔ）に流入電流Ｉ（Ａ）を掛け合わせた値Ｕ（＝ＮＩ）であり、微少時間Δｔに到達できる磁気力の評価に適用できる。
【０１２５】
駆動回路の内部抵抗がゼロの場合は、巻数を少なくすればするほど、インダクタンス成分と抵抗成分が小さくなり、たくさん電流が流れ、結果として微小時間Δｔの間に到達できる起磁力は大きくなる。
【０１２６】
起磁力はコイルの巻数が減少すれば減少するが、コイルのインダクタンスが巻数Ｎの２乗に比例するため、巻数の減少による起磁力の減少よりもインダクタンスの減少による電流の増加が大きいことが分かった。
【０１２７】
すなわち、バッテリ電圧等、低電圧で駆動して開弁時に大きな磁気力を得るためには、
巻数で起磁力を稼ぐより電流で起磁力を稼ぐほうが応答性向上には望ましいと考えられる。
【０１２８】
しかしながら、実際には駆動回路内部には内部抵抗が存在し、到達起磁力の最大値に制限を加えると同時に、最適な巻き数が駆動回路内部抵抗値により変化する。
【０１２９】
さらに、電流の流れ易さは、インジェクタ内のコイルのみならず、制御回路側の内部抵抗，スイッチングデバイスの抵抗，電圧降下にも影響される。
【０１３０】
このため、制御回路側の内部抵抗，スイッチングデバイスの抵抗，電圧降下は極力小さくする必要がある。
【０１３１】
開弁時のコイル、すなわち本実施例のコントロールコイル１１１とこのコイル１１１のパワートランジスタ１１２ｔは、以下のように構成する。
【０１３２】
まず、コントロールコイル１１１の巻線径は、抵抗率の小さい太い巻線とする。
【０１３３】
また、パワートランジスタ１１２ｔはバイポーラ、ＣＭＯＳまたはバイＣＭＯＳとすることにより通電時のＯＮ抵抗を低減し、コントロールコイル回路の等価内部抵抗１１１Ｒを低減する。
【０１３４】
さらに、そのような構成に基づき決定される内部抵抗１１１Ｒの抵抗値に応じて到達起磁力が最も大きい近辺の巻き数とする。
【０１３５】
通常、開弁保持動作では、開弁時に比べ小さな起磁力で弁体を開状態に保持できる。
【０１３６】
これは、開弁により燃料が噴射されボール弁１６の前後で圧力がバランスし、燃圧による力が小さくなると同時に、コア１１３，ヨーク１１４とプランジャ１１５のエアギャップが小さくなるため、空間ギャップの磁束密度が上昇し起磁力を有効に使えるためである。
【０１３７】
さらに開弁保持に続く閉弁時は、電圧印加を中止することにより開弁保持時の起磁力が低下し、磁気力が低下していき、スプリング１１８のセット荷重以下になると閉弁動作を始めるのであるが、開弁保持時の起磁力が大き過ぎると、閉弁遅れに繋がる。
【０１３８】
従って開弁保持時には、保持限界に近い、低い起磁力で保持しておく必要がある。
【０１３９】
開弁保持時のコイル、すなわち本実施例のホールドコイル１１２とこのホールドコイル１１２のパワートランジスタ１０２は、以下のように構成する。まず、ホールドコイル１１２は一般にその内部抵抗を特別に小さくする必要はなく、スペースファクタを優先して線径を選べばよい。
【０１４０】
本実施例においては、開弁時にコイルに要求される特性をコントロールコイル１１１に持たせ、開弁保持時にコイルに要求される特性をホールドコイル１１２に持たせ、単純に切り換えて通電することにより、それぞれの段階において、理想的な動作を可能とする。
【０１４１】
さらに上述のコントロールコイル１１１と、ホールドコイル１１２のコア１１３，ヨーク１１４への配置は、コントロールコイル１１１をプランジャ１１５に近いほうに配置するほうが望ましい。
【０１４２】
これは、コア１１３，ヨーク１１４およびプランジャ１１５で構成される磁気回路において、磁束が集中するのはコイル近辺であり、特に大きな磁気力が要求される開弁時に、
大きな起磁力が早期に投入されるコントロールコイル１１１をプランジャ１１５に近い配置にするほうが有利だからである。
【０１４３】
本実施例では性能基準となる広いダイナミックレンジを達成することができる。
【０１４４】
ダイナミックレンジ拡大のためには、最小噴射流量を低く抑える必要がある。噴射量は、噴射信号のオン時間により制御され、最小噴射流量を与える噴射信号は極限まで短くなる。この短い噴射信号に対して開弁，閉弁遅れを低減する必要があるが、本実施例においては、以下のように構成している。
【０１４５】
コントロールコイル１１１の通電はＴｐにて中止されるが、ホールドコイル１１２の通電は噴射信号が立ち下がる、すなわちＴｐを過ぎて閉弁指令まで続けられる。
【０１４６】
閉弁開始時においては、各コイル１１１及び１１２の電流値が小さいほど磁束の立ち下がりが早く行われ閉弁遅れの短縮に有利である。
【０１４７】
特にホールドコイル１１２は、コントロールコイル１１１に比べ起磁力の立ち下がりが遅いので、ホールドコイル１１２の電流は、必要最低限とすることが望ましい。
【０１４８】
コントロールコイル１１１の電圧印加後微小時間に到達する起磁力が、開弁動作に必要な磁気力を発生するのに十分であるようにホールドコイル１１２の電気特性を決定する。
【０１４９】
ホールドコイル１１２への通電開始は、噴射信号入力と同時でなくても良く、遅れてからでも十分である。ホールドコイル１１２の噴射信号立ち下がり時の到達電流は、噴射信号と同時に通電を開始する場合より低くすることができる。
【０１５０】
このように、ホールドコイル１２への通電を遅らせることにより、噴射信号立ち下がり時、即ち閉弁指令時の電流を低減することができ、閉弁遅れを短縮することができる。
【０１５１】
本発明では、このように特性が決定されたコントロールコイル１１１，ホールドコイル１１２には１回の噴射タイミングにおいて２回の電流通流遮断が生じる。
【０１５２】
このように構成された燃料噴射装置は次のように動作する(図２１(ｃ)参照)。
【０１５３】
ＥＣＵ４１が機関の運転状態に応じて複数回噴射の指令Ｔｓｇを駆動回路４０に出力する。
【０１５４】
駆動回路４０は第１噴射Ｔ２のために、信号処理回路１２０から回路１１４を介してコントロールコイル用トランジスタ１１２ｔとホールドコイル用トランジスタ１０２ｔをオンする。バッテリから見たときの総合電流は図２０（ｃ）の下側の図に太い線で示されている。トランジスタ１１２ｔは通電から時間ｔ２が経過した後にＯＦＦされる。トランジスタ１０２ｔは第１噴射期間Ｔ２の間ずっとＯＮ状態に制御される。これによって両コイルの起磁力の総和で開弁した弁はコイル１１１の保持力で開弁状態が維持される。この間燃料はスワラを通って噴射口から燃焼室内に噴射される。
【０１５５】
時間Ｔ２が経過すると、トランジスタ１０２ｔへの通電も断たれるのでコイルは消磁されプランジャ１１５がリターンスプリング１１８で押し戻されて弁１１６は弁座１２０に着座し、燃料噴口を塞ぐ。
【０１５６】
しかしながら、わずかな閉弁区間ｔ４の後、駆動回路４０は第２噴射Ｔ３のために、再び信号処理回路１２０から回路１１４を介してコントロールコイル用トランジスタ１１２ｔとホールドコイル用トランジスタ１０２ｔをオンする。
【０１５７】
バッテリから見たときの総合電流は図２０（ｃ）の下側の図（左）に太い線で示されている。
【０１５８】
トランジスタ１１２ｔは通電から時間ｔ３が経過した後にＯＦＦされる。
【０１５９】
トランジスタ１０２ｔは第２噴射期間Ｔ３の間ずっとＯＮ状態に制御される。これによって両コイルの起磁力の総和で開弁した弁はコイル１１１の保持力で開弁状態が維持される。この間燃料はスワラを通って噴射口から燃焼室内に噴射される。
【０１６０】
時間Ｔ３が経過すると、トランジスタ１１２ｔへの通電も断たれるのでコイルは消磁されプランジャ１１５がリターンスプリング１１８で押し戻されて弁１１６は弁座１２０に着座し、燃料噴口を塞ぎ第２回目の噴射が終了する。
【０１６１】
この実施例ではインジェクタは高速で駆動されるにもかかわらず電源電圧で駆動できる。
【０１６２】
しかも開弁後はわずかな保持電流で保持するため１噴射タイミングの間に２回あるいはそれ以上インジェクタを開閉動作させても電力消費は少なくて済む。
【０１６３】
尚、バッテリＶＢが４２ボルトバッテリになれば電圧が高くなった分駆動電流を下げたり、電流を同じにしておく場合はコイルの巻き数を減じることができインジェクタを小さくできる。
【０１６４】
以上説明した複数の種類のインジェクタはそれぞれの特徴を併せ持ったインジェクタとして構成できる。つまり、スワラ付きインジェクタを２コイル型のバッテリ駆動インジェクタで構成することができる。中実噴霧あるいは狭角噴霧型のインジェクタを２コイル型のバッテリ駆動インジェクタで構成することができる。
【０１６５】
いずれのインジェクタを用いた場合にも図２２に示す如く、その先端に燃料噴射方向をプラグ側に変更する変更要素１９９を備えた偏向噴霧型のインジェクタとすることができる。この実施例では変更要素１９９はインジェクタの中心軸線ｈ１に対してプラグ取付け方向に角度δだけ中心軸線が傾斜した燃料導出通路１９８を有する突出部として構成した。
【０１６６】
このインジェクタによれば１回の噴射タイミングの間に少なくとも２つの偏向噴霧がプラグに向かって供給されることになる。
【０１６７】
本構成によれば空気やピストンのキャビティのようなガイド機構が不要になる。
【０１６８】
従って、冠面のフラットなピストンと組み合わせて用いることができる。
【０１６９】
また、吸気ポートにタンブル空気流動生成装置を設ける必要もなくなる。
【０１７０】
以下本発明が実施された実施例の特徴を列挙する。
【０１７１】
実施例が解決しようとする課題および目的は以下の通りである。
【０１７２】
従来の技術では、いずれもインジェクタとして燃料噴霧のペネトレーションが長いものを使用してピストンをガイドとして使用したり、プラグを直撃しているので、成層燃焼領域で噴射燃料がピストンに付着したり、点火プラグを通り過ぎて燃焼室壁面に付着し、理論上ほど燃費の向上や、エミッションの改善ができていない。また、１回の燃料噴射タイミングで燃料を複数回に分割噴射してもシステムの性質上ピストンや燃焼室壁面に多くの燃料が接触してしまうという問題があり、十分な燃費の向上や、エミッションの改善が得られない。
【０１７３】
別の課題として、筒内噴射型内燃機関に従来使われているインジェクタはコンデンサを含む高電圧発生装置で駆動されているため、インジェクタを１回の噴射タイミングの間に複数回開閉駆動する場合、各噴射の間の閉弁区間の間にコンデンサをチャージする時間が必要であり、噴射間隔を小さくすることができず、エンジンの高回転領域で燃焼行程の時間が短い場合には１回の噴射タイミングの間に複数回噴射させることができないという問題がある。
【０１７４】
更に、上記従来技術ではスタータが駆動されているような内燃機関の運転領域での成層燃焼については論じられていない。これはこのような状態で成層燃焼させて燃焼に失敗すると通常の何倍ものＨＣが排出され、厳しいヨーロッパの排気ガス規制をクリアできなくなるから、燃焼に失敗しないように濃い空燃比で始動させる狙いによるものである。しかし、濃い空燃比で始動するとそれだけＨＣは多く排出される。
【０１７５】
また、従来技術では１回の燃料噴射タイミングに複数回インジェクタを駆動するに当たり電力の消費が激しいことについて考慮されていない。
【０１７６】
本実施例の目的の一つは、成層燃焼領域を従来より広げ、燃費の向上，エミッションの改善を図ることにある。
【０１７７】
本実施例の別の目的は、１回の噴射タイミングの間に複数回噴射させる運転領域を拡大して燃費の向上，エミッションの改善を図ることにある。
【０１７８】
本実施例の更に別の目的は、１回の燃料噴射タイミングに複数回インジェクタを開閉駆動しても電力消費を少なく抑えることにある。
【０１７９】
本発明の実施の態様は以下の通りである。
【０１８０】
実施態様１
スタータ駆動中に、燃料噴射弁が１回の燃料噴射タイミングの間に少なくとも２回燃料通路を開閉するように構成した。
【０１８１】
つまり、スタータによって起動され、且つ燃料を直接燃焼室内に噴射する燃料噴射弁を備えた筒内噴射型内燃機関の燃料制御方法において、
前記スタータ駆動中に、前記燃料噴射弁が１回の燃料噴射タイミングの間に少なくとも２回燃料通路を開閉するように構成した。
【０１８２】
実施態様２
燃料噴射弁はペネトレーションの長い噴霧状態とペネトレーションの短い噴霧状態に切替えられるように構成し、成層燃焼状態ではペネトレーションの短い噴霧状態に切替え、
均質燃焼状態ではペネトレーションの長い噴霧状態に切替え、且つペネトレーションが短い状態では１回の噴射タイミングの間に少なくとも２回燃料を噴射するように構成した。
【０１８３】
つまり、燃料を直接燃焼室内に噴射する燃料噴射弁を備え、成層燃焼状態と均質燃焼状態に燃焼状態を切り替えられるように構成した筒内噴射型内燃機関の燃料噴射装置において、
前記燃料噴射弁はペネトレーションの長い噴霧状態とペネトレーションの短い噴霧状態に切替えられるように構成し、前記成層燃焼状態のうちの特定の成層燃焼領域ではペネトレーションの短い噴霧状態に切替え、前記均質燃焼状態のうちの特定の成層燃焼領域ではペネトレーションの長い噴霧状態に切替え、且つペネトレーションが短い状態では１回の噴射タイミングの間に少なくとも２回燃料を噴射するように構成した。
【０１８４】
実施態様３
吸気ポートに設けた空気流動生成装置により燃焼室内に空気流動を生成し、燃料噴射弁から燃焼に必要な燃料を複数回に分割して噴射し、空気流動で複数回の燃料噴霧を点火プラグ方向へガイドするよう構成した。
【０１８５】
つまり、空気が吸入される燃焼室と、前記燃焼室に直接燃料を供給する燃料噴射弁と、
燃料に点火する点火プラグと、燃焼室容積を変化させるピストンを有し、吸気ポートに設けた流動生成装置により燃焼室内に空気流動を生成し、それにより噴霧を点火プラグ方向へガイドするよう構成し、更に前記燃料噴射弁から燃焼に必要な燃料を複数回に分割して噴射するよう制御する噴射制御手段を設けた。
【０１８６】
具体的には、噴射制御手段は、低回転低負荷の成層運転領域において燃料を圧縮行程に複数回に分割して噴射するよう制御する。
【０１８７】
さらに、前記噴射制御手段は、複数回に分割した噴霧がとぎれることなく連続的に前記点火プラグを通過するように各回の噴射時期を制御する。
【０１８８】
また、前記噴射制御手段は、先行噴射で燃料噴射弁から点火プラグ方向への燃料噴霧の流動を生成し、当該燃料流動により引き続く後噴射による燃料噴霧を点火プラグへガイドするように燃料噴射時期を制御する。
【０１８９】
さらにまた、前記噴射制御手段は、機関の低回転低負荷時には前記燃料噴射弁から１回の燃料噴射タイミングの間に１回の開弁で燃料を噴射するよう制御し、前記燃料噴射弁は当該燃料噴霧が点火プラグへ到達するだけのペネトレーションを持つ狭角型燃料噴射弁を用いた。
【０１９０】
さらにまた、前記燃料噴射弁は燃焼室中央に設けられ、燃焼室上部から燃焼室内へ向けて燃料を噴射するものである。
【０１９１】
さらにまた、前記燃料噴射弁は上流スワラ型燃料噴射弁を用いた。
【０１９２】
さらにまた、前記燃料噴射弁は内燃機関に搭載されたバッテリーの発生電圧以下の電圧で駆動する燃料噴射弁を用いた。
【０１９３】
【発明の効果】
本発明では、筒内噴射エンジンにおいて、一層成層運転領域を広げることができた。また別の発明では混合気形成を運転条件にあわせて多様に制御し、エンジンの燃焼安定性，燃費，排気を向上させることができた。また別の発明では電力消費の少ないシステムを実現できた。
【図面の簡単な説明】
【図１】  タンブルガイド筒内噴射エンジン斜視図。
【図２】  タンブルガイド筒内噴射エンジン断面図。
【図３】（ａ）（ｂ）（ｃ）  一括噴射と２回噴射の噴霧特性の相違を説明するための図面。
【図４】  各運転領域における噴射方法を説明するための図面。
【図５】  回転数−負荷による噴射方法マップ。
【図６】  噴射方法選択のフローチャート。
【図７】  エンジンコントロールユニットの構成を説明するための図面。
【図８】  ２回噴射による弱成層混合気分布（第一と第二噴射の間隔大）を説明するための図面。
【図９】  第一噴射により生成されるプラグ方向への空気流動を説明するための図面。
【図１０】  ２回噴射による弱成層混合気分布（第一と第二噴射の間隔小）を説明するための図面。
【図１１】  クランク角度とプラグ付近混合気濃度の関係を説明するための図面。
【図１２】  噴射時の筒内圧力が噴霧に与える影響を説明するための図面。
【図１３】  噴射間隔Ｄ１の最適値を説明するための図面。
【図１４】  噴射比率Ｔ１／Ｔ２の最適値を説明するための図面。
【図１５】  噴射期間と燃料流量の関係を説明するための図面。
【図１６】  タンブルガイド筒内噴射エンジンに狭角噴霧のインジェクタを適用した場合の説明をす
るための図面。
【図１７】  直上噴射筒内噴射エンジンに２回噴射を適用した場合の説明をするための図面。
【図１８】  壁ガイド筒内噴射エンジンに２回噴射を適用した場合の説明をするための図面。
【図１９】  フラットピストン型筒内噴射エンジンに２回噴射を適用した場合の説明をするための図
面。
【図２０】  （ａ），（ｂ）はインジェクタの主要部を説明するための図面。
【図２１】  （ａ）はインジェクタの構成を説明するための図面、（ｂ）はインジェクタの制御回路
の構成を説明するための図面、（ｃ）はインジェクタの動作を説明するための図面。
【図２２】  偏向噴霧型インジェクタの主要部を説明するための図面。
【符号の説明】
１…インジェクタ、２…コイル、３…プランジャ、４…スワラ、１０…吸気弁、２１…空気流動制御弁、３０…エンジン、３１…ピストン、３２…点火プラグ、５０…空気流動、６０…噴霧、１１１…排気弁。
【図１】
0003671785.tif 000002
【図２】
0003671785.tif 000003
【図３】
0003671785.tif 000004
【図４】
0003671785.tif 000005
【図５】
0003671785.tif 000006
【図６】
0003671785.tif 000007
【図７】
0003671785.tif 000008
【図８】
0003671785.tif 000009
【図９】
0003671785.tif 000010
【図１０】
0003671785.tif 000011
【図１１】
0003671785.tif 000012
【図１２】
0003671785.tif 000013
【図１３】
0003671785.tif 000014
【図１４】
0003671785.tif 000015
【図１５】
0003671785.tif 000016
【図１６】
0003671785.tif 000017
【図１７】
0003671785.tif 000018
【図１８】
0003671785.tif 000019
【図１９】
0003671785.tif 000020
【図２０】
0003671785.tif 000021
【図２１】
0003671785.tif 000022
【図２２】
0003671785.tif 000023